(57)【要約】【課題】建設現場等での使用が容易で着衣等が引っ掛かるのを抑制できる回転可能なフック部材およびこのフック部材を用いて現場事務所の建物の軒下等に設置することができる装備品収容構造を提供する。【解決手段】フック部材１は、回転の支持軸となる単管パイプ５が挿通されるパイプ挿通孔１１と、上記パイプ挿通孔１１から離間して設けられた引っ掛け部１２と、上記パイプ挿通孔１１から上記引っ掛け部１２の位置と略反対側の方向に離間し、当該フック部材１を回転させて上記引っ掛け部１２を上側に移動させる重量を有するウェイト部１３と、を備える。装備品収容構造２においては、複数のフック部材１が上記単管パイプ５で回転可能に支持される。【選択図】図４
2020153454.tif 000002
【特許請求の範囲】
【請求項１】
回転可能に設けられるフック部材であって、上記回転の支持軸となる単管パイプが挿通されるパイプ挿通孔と、上記パイプ挿通孔から離間して位置する引っ掛け部と、上記パイプ挿通孔から上記引っ掛け部の位置と略反対側の方向に離間し、当該フック部材を回転させて上記引っ掛け部を上側に移動させる重量を有するウェイト部と、を備えることを特徴とするフック部材。
【請求項２】
請求項１に記載のフック部材において、上記パイプ挿通孔の周囲部には、上記単管パイプに設けられたピンにおける上記単管パイプの外周側に突出する凸部を通す凹部が形成されていることを特徴とするフック部材。
【請求項３】
請求項１または請求項２に記載のフック部材において、上記引っ掛け部が貫通孔部を有することを特徴とするフック部材。
【請求項４】
請求項１〜請求項３のいずれか１項に記載のフック部材と、上記パイプ挿通孔に挿通されて上記フック部材を回転可能に支持する単管パイプと、上記単管パイプを支持する支持部とを備えることを特徴とする装備品収容構造。
【請求項５】
請求項４に記載の装備品収容構造において、上記フック部材を回転可能に支持する上記単管パイプの上方に、当該フック部材の回転状態により、上記ウェイト部および上記引っ掛け部のいずれかが当たって上記フック部材の回転を制止する別の単管パイプを備えることを特徴とする装備品収容構造。
【請求項６】
請求項５に記載の装備品収容構造において、上記引っ掛け部が上記別の単管パイプに当たる状態での上記引っ掛け部における引っ掛け凹部が上記別の単管パイプの上側で下方を向くことを特徴とする装備品収容構造。
【請求項７】
請求項４〜請求項６のいずれか１項に記載の装備品収容構造において、上記単管パイプで支持される複数の上記フック部材が、上記単管パイプに装着されたスペーサによって互いに離間して位置することを特徴とする装備品収容構造。
【発明の詳細な説明】
【技術分野】
【０００１】
この発明は、フック部材およびこのフック部材を用いた装備品収容構造に関する。
【背景技術】
【０００２】
従来、建設現場における現場事務所の軒下等の場所に、図５に示すように、装備置き場８を、単管パイプ８１およびクランプ８２によって組み立てて、この装備置き場８に、ヘルメット８０や墜落防止器具等の装備品を収容している。
【０００３】
また、特許文献１には、不使用時には他物との接触による障害を生じないように壁面内に収容し、使用時には指先による挿入で簡便に壁面から突出させ得るようにしたフックによる壁掛け具が開示されている。
【先行技術文献】
【特許文献】
【０００４】
【特許文献１】実開平５−５８４９５号公報
【発明の概要】
【発明が解決しようとする課題】
【０００５】
しかしながら、上記の壁掛け具は、建物の室内での使用を想定した壁掛け具であり、建設現場等における現場事務所の軒下等に設置するには不向きである。また、上記装備置き場８は、ヘルメット８０や墜落防止器具等の装備品を掛ける部位が、当該装備品を外した後でも突出した状態のままであるため、この部位に着衣等が引っ掛かるおそれがあった。
【０００６】
この発明は、建設現場等での利用が容易で着衣等が引っ掛かるのを抑制できるフック部材およびこのフック部材を用いて現場事務所の軒下等に設置することができる装備品収容構造を提供する。
【課題を解決するための手段】
【０００７】
この発明のフック部材は、上記の課題を解決するために、回転可能に設けられるフック部材であって、上記回転の支持軸となる単管パイプが挿通されるパイプ挿通孔と、上記パイプ挿通孔から離間して位置する引っ掛け部と、上記パイプ挿通孔から上記引っ掛け部の位置と略反対側の方向に離間し、当該フック部材を回転させて上記引っ掛け部を上側に移動させる重量を有するウェイト部と、を備えることを特徴とする。
【０００８】
上記の構成であれば、上記フック部材は、建設現場等で入手が容易な単管パイプを支持軸にして回転することができる。そして、上記引っ掛け部に、ヘルメット等の装備品を引っ掛けることで、上記フック部材が回転し、上記引っ掛け部が下側に位置することができる。一方、上記引っ掛け部から上記装備品を外すと、上記ウェイト部の重量によって上記フック部材が回転して上記引っ掛け部が上側に移動できる。上記引っ掛け部が上側に移動することで、上記引っ掛け部の上記単管パイプから引っ掛け側への出っ張りが抑制され、上記引っ掛け部に着衣等が引っ掛かるのを抑制できる。
【０００９】
上記パイプ挿通孔の周囲部には、上記単管パイプに設けられたピンにおける上記単管パイプの外周側に突出する凸部を通す凹部が形成されていてもよい。これによれば、上記ピンが付いた単管パイプを上記フック部材の上記パイプ挿通孔に通すことができる。
【００１０】
上記引っ掛け部が貫通孔部を有してもよい。これによれば、例えば、衣類ハンガーのフックを上記貫通孔部に通すことで、衣類も引っ掛けることができる。また、上記貫通孔部によって、上記引っ掛け部の軽量化を図ることができる。
【００１１】
また、この発明の装備品収容構造は、上記のいずれかのフック部材と、上記パイプ挿通孔に挿通されて上記フック部材を回転可能に支持する単管パイプと、上記単管パイプを支持する支持部とを備えることを特徴とする。このような装備品収容構造は、建設現場等における現場事務所の軒下等に設置するのに好適である。
【００１２】
上記装備品収容構造において、上記フック部材を回転可能に支持する上記単管パイプの上方に、当該フック部材の回転状態により、上記ウェイト部および上記フック部のいずれかが当たって上記フック部材の回転を制止する別の単管パイプを備えてもよい。これによれば、上記ウェイト部または上記引っ掛け部が上記別の単管パイプに当たることで、上記フック部材のふらつきを防止できる。
【００１３】
上記装備品収容構造において、上記引っ掛け部が上記別の単管パイプに当たる状態での上記引っ掛け部における引っ掛け凹部が上記別の単管パイプの上側で下方を向いてもよい。これによれば、上記別の単管パイプが上記引っ掛け凹部を下から塞ぐように位置する状態となり、上記引っ掛け部への着衣等の引っ掛かりがさらに生じ難くなる。
【００１４】
上記装備品収容構造において、上記単管パイプで支持される複数の上記フック部材が、上記単管パイプに装着されたスペーサによって互いに離間して位置してもよい。これによれば、上記単管パイプに支持される上記フック部材同士の間隔を簡単に維持することができる。
【発明の効果】
【００１５】
本発明であれば、建設現場等における現場事務所の軒下等に設置するのに好適となり、また、着衣等の引っ掛かりが生じ難いという効果を奏する。
【図面の簡単な説明】
【００１６】
【図１】実施形態のフック部材の使用状態（装備品の引っ掛け可能状態）を示した説明図である。
【図２】図１のフック部材の不使用状態を示した説明図である。
【図３】図１のフック部材のパイプ挿通孔にピン付きの単管パイプを差し込む様子を示した説明図である。
【図４】実施形態の装備品収容構造を示した斜視図である。
【図５】従来の装備置き場を示した斜視図である。
【発明を実施するための形態】
【００１７】
以下、この発明の一態様に係る実施形態を添付図面に基づいて説明する。図１および図２に示すように、この実施形態のフック部材１は、パイプ挿通孔１１と、引っ掛け部１２と、ウェイト部１３とを備えており、上記パイプ挿通孔１１を利用して当該フック部材１を回転可能に支持することができる。また、上記フック部材１は、例えば、アルミニウム等の金属、硬質プラスチック等の樹脂等から成る。
【００１８】
上記パイプ挿通孔１１は、上記回転の支持軸となる単管パイプ５が挿通できる円形状を有する。上記単管パイプ５は、足場の作製等に用いることができるものであり、例えば、４８．６ｍｍの外径を有する。なお、上記フック部材１を支持する単管パイプとして、例えば、４２．７ｍｍの外径を有する単管パイプを利用することもできる。また、上記パイプ挿通孔１１の周囲部には、図３に示すように、上記単管パイプ５に設けられたピン５１における上記単管パイプ５の外周側に突出する凸部５１ａを通す凹部１１ａが２箇所形成されている。
【００１９】
上記引っ掛け部１２は、上記パイプ挿通孔１１から離間して位置する。また、図１に示したように、上記フック部材１の使用状態（装備品の引っ掛け可能状態）において、上記引っ掛け部１２は、上記パイプ挿通孔１１の中心から引っ掛け側に距離Ａ突出した状態となる。上記引っ掛け部１２の先端には、突出部１２ｂが形成されており、また、この突出部１２ｂに隣接して引っ掛け凹部１２ａが形成される。また、上記引っ掛け凹部１２ａから上記パイプ挿通孔１１側に延びる延設部位には、複数の貫通孔部１２ｃが形成されている。また、図２に示したように、上記フック部材１の不使用状態において、上記突出部１２ｂおよび上記引っ掛け凹部１２ａは、上記引っ掛け部１２の延設部位よりも引っ掛け側の反対側に位置し、また、上記引っ掛け部１２の延設部位が、上記パイプ挿通孔１１の中心から引っ掛け側に距離Ｂ（Ｂ＜Ａ）突出する状態となる。さらに、上記フック部材１の不使用状態において、上記引っ掛け凹部１２ａは下側を向く。
【００２０】
上記ウェイト部１３は、上記パイプ挿通孔１１から上記引っ掛け部１２の位置と略反対側の方向に離間し、上記引っ掛け部１２よりも重く、上記フック部材１の不使用状態において、重量で下がって当該フック部材１を回転させて上記引っ掛け部１２を上側に移動させる。また、上記ウェイト部１３の重量は、引っ掛け対象とする装備品の重量よりも軽くされる。また、上記フック部材１の不使用状態において、上記ウェイト部１３における上記パイプ挿通孔１１の中心からの引っ掛け側の出っ張りが、上記距離Ｂと同じとなるようにしている。また、上記フック部材１の使用状態において、引っ掛け側と反対側に位置する上記ウェイト部１３の縁面１３ａが、略鉛直に位置することで、当該フック部材１における引っ掛け側と反対側の出っ張りを少なくし、上記フック部材１の不使用状態において、引っ掛け側に位置する上記ウェイト部１３の縁面１３ｂ、および引っ掛け側と反対側に位置する上記ウェイト部１３の縁面１３ｃがそれぞれ略鉛直に位置することで、当該フック部材１の水平方向の出っ張りを少なくしている。
【００２１】
図４に示すように、この実施形態の装備品収容構造２は、水平配置された上記単管パイプ５と、水平配置された別の単管パイプ５Ａと、上記単管パイプ５，５Ａを支持するとともに枠組みを構成する他の単管パイプ（支持部）３と、単管パイプ同士を連結するクランプ４と、鉛直配置された他の単管パイプ３の下端に装着される図示しない脚部と、を備えている。そして、上記単管パイプ５には、複数の上記フック部材１が間隔を置いて装着される。
【００２２】
上記別の単管パイプ５Ａは、上記フック部材１を回転可能に支持する上記単管パイプ５の上方に位置し、当該フック部材１の回転状態により、上記ウェイト部１３および上記引っ掛け部１２のいずれかが当たって上記フック部材１の回転を制止する。また、上記別の単管パイプ５Ａは、上記フック部材１の不使用状態の上記引っ掛け凹部１２ａの下側に位置しており、上記引っ掛け部１２が上記別の単管パイプ５Ａに当たる状態で、上記引っ掛け凹部１２ａは、上記別の単管パイプ５Ａの上側で下方を向く。
【００２３】
また、上記単管パイプ５で支持される複数の上記フック部材１は、上記単管パイプに装着されたスペーサ３１によって互いに離間して位置する。上記スペーサ３１としては、単管パイプの外周に装着される柔軟素材の単管カバーを、例えば２５ｃｍ程度の長さで切った短筒状部材を用いることができる。なお、上記単管カバーは、その厚み部分が長手方向に切断されており、この切断箇所を広げることで、上記短筒部材を上記単管パイプ５にその横側から装着することができる。
【００２４】
上記の構成であれば、上記フック部材１は、建設現場等で入手が容易な単管パイプ５を支持軸にして回転することができる。そして、上記引っ掛け部１２に、ヘルメットや墜落防止器具等の装備品６を引っ掛けることで、上記フック部材１が回転し、上記引っ掛け部１２が下側に位置することができる。一方、上記引っ掛け部１２から上記装備品６を外すと、上記ウェイト部１３の重量によって上記フック部材１が回転して上記引っ掛け部１２が上側に移動する。上記引っ掛け部１２が上側に移動することで、上記単管パイプ５から引っ掛け側への上記引っ掛け部１２の出っ張りが抑えられ、上記引っ掛け部１２に着衣等が引っ掛かるのを抑制できる。
【００２５】
上記パイプ挿通孔１１の周囲部に、上記単管パイプ５の外周側に突出する凸部５１ａを通す凹部１１ａが形成されていると、上記ピン５１が付いた単管パイプ５を上記フック部材１の上記パイプ挿通孔１１に通すことができる。
【００２６】
上記引っ掛け部１２が貫通孔部１２ｃを有していると、例えば、衣類ハンガー等のフックを上記貫通孔部１２ｃに通すことで、衣類も上記引っ掛け部１２に引っ掛けることができる。また、上記貫通孔部１２ｃによって、上記引っ掛け部１２の軽量化を図ることができる。
【００２７】
また、上記の装備品収容構造２は、上記フック部材１および上記単管パイプ５を備えて構成できるので、建設現場等における現場事務所の建物の軒下等に設置するのに好適である。
【００２８】
上記装備品収容構造２において、上記別の単管パイプ５Ａを備えていると、上記ウェイト部１３または上記引っ掛け部１２が上記別の単管パイプ５Ａに当たることで、上記フック部材１のふらつきを防止できる。
【００２９】
上記装備品収容構造２において、上記引っ掛け部１２が上記別の単管パイプ５Ａに当たる状態で、上記引っ掛け部１２における引っ掛け凹部１２ａが上記別の単管パイプ５Ａの上側で下方を向くと、上記別の単管パイプ５Ａが上記引っ掛け凹部１２ａを下から塞ぐように位置する状態となり、上記引っ掛け部１２への着衣等の引っ掛かりがさらに生じ難くなる。
【００３０】
上記装備品収容構造２において、上記単管パイプ５で支持される複数の上記フック部材１が、上記単管パイプ５に装着されたスペーサ３１によって互いに離間して位置すると、上記単管パイプ５に支持される上記フック部材１同士の間隔を簡単に維持することができる。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      ：フック部材
２      ：装備品収容構造
３      ：単管パイプ（支持部）
４      ：クランプ
５      ：単管パイプ
５Ａ    ：別の単管パイプ
６      ：装備品
１１    ：パイプ挿通孔
１１ａ  ：凹部
１２    ：引っ掛け部
１２ａ  ：引っ掛け凹部
１２ｂ  ：突出部
１２ｃ  ：貫通孔部
１３    ：ウェイト部
３１    ：スペーサ
５１    ：ピン
５１ａ  ：凸部
【図１】
2020153454.tif 000003
【図２】
2020153454.tif 000004
【図３】
2020153454.tif 000005
【図４】
2020153454.tif 000006
【図５】
2020153454.tif 000007